(57)【要約】【課題】  本発明は、液体および残片を吸引するための医療用吸引装置に関する。【課題解決手段】  本発明による医療用吸引装置（10）は、外面部（16）と、内面部（14）と、吸引口（20）とを有する、X−X線を軸方向とする中空の基部本体（12）からなる。前記基部本体の一部は、反射面（24）を有する。【選択図】  図1
2007517554.tif 000002
【特許請求の範囲】
【請求項１】
外面部（16），内面部（14），吸引口（20）からなる、X−X線を軸方向とする中空の基部本体（12）を有した、治療中に患者の口腔から液体および残片を吸引するための歯科用吸引装置（10）であって、鏡面部（24）が前記吸引口（20）の領域に配置されて少なくとも口腔の部分を見ることを可能にしたことを特徴とする歯科用吸引装置。
【請求項２】
前記内面部（14）は前記吸引口（20）から見ることの可能な前記鏡面部（24）を有し、前記吸引口（20）は前記X−X線の軸に対し傾斜して構成され、前記吸引口（20）の面積が、前記X−X線の軸上にわたる前記基部本体（12）の断面積よりも大きいことを特徴とする、請求項１に記載の歯科用吸引装置（10）。
【請求項３】
前記基部本体（12）の前記外面部（16）はさらに鏡面部（24）を有することを特徴とする、請求項１または2に記載の歯科用吸引装置（10）。
【請求項４】
前記鏡面部（24）が、前記吸引装置に取り外し可能に接続された差し込み可能な構成部品の上に配置されていることを特徴とする、請求項1から3のうちいずれか1項に記載の歯科用吸引装置（10）。
【請求項５】
前記差し込み可能な構成部品の差込み用溝が、前記吸引口（20）の領域に配置されていることを特徴とする、請求項4に記載の歯科用吸引装置（10）。
【請求項６】
前記基部本体（12）が長手方向に変形可能に構成され、前記X−X線の軸の向きが変更されうるようにしたことを特徴とする、請求項1から5のうちいずれか1項に記載の歯科用吸引装置（10）。
【請求項７】
前記基部本体（12）が屈曲可能なプラスチック材料から成ることを特徴とする請求項6に記載の歯科用吸引装置（10）。
【請求項８】
前記基部本体（12）が少なくとも1つの玉継手を有することを特徴とする請求項6に記載の歯科用吸引装置（10）。
【請求項９】
前記吸引口（20）の領域に光源が配置され、反射する領域を照射するようにしたことを特徴とする請求項1から8のうちいずれか1項に記載の歯科用吸引装置（10）。
【請求項１０】
外面部（16），内面部（14），吸引口（20）からなる、X−X線を軸方向とする中空の基部本体（12）を有した、治療中に患者の口腔から液体および残片を吸引する歯科用吸引装置（10）であって、前記基部本体（12）が長手方向に変形可能に構成され、前記X−X線の軸の向きを変更可能に形成したことを特徴とする歯科用吸引装置。
【発明の詳細な説明】
【技術分野】
【０００１】
本発明は、治療中に患者の口腔から液体および治療残片を吸引する歯科用吸引装置に関する。前記装置は、外面部と内面部と吸引口とからなる、X−X線を軸方向とする中空の基部本体を有する。
【背景技術】
【０００２】
医科治療中および歯科治療中においては、しばしば、貯留した液体または残片を治療部位から排出する必要がある。たとえば歯科治療中においては、唾液、飛沫、血液を吸引する必要がある。また、たとえば洗浄または多機能注入のために用いられた水が貯留しても、吸引する必要がある。この目的のために通常用いられる吸引装置は、一般に、プラスチック材料製の管状の本体から形成されており、その末端にはホースが固定され、次にポンプに接続されている。そうして阻害物である液体および固形物は、ホースまたは吸引装置を通って吸引される。
【０００３】
同様に、他の医療分野、特に外科診療中においても、しばしば、血液、水、および／または骨片等を手術中に吸引する必要がある。
【０００４】
通常、吸引装置の導入および保持は、治療担当医自身または執刀医自身ではなく、助手によってなされる。治療担当医は治療に両手を要するため、これはしばしば、不可欠なことである。たとえば歯科医はしばしば、片方の手にドリルを、もう片方には治療部位を見るためのミラーを持つ。同じことは、手術中、これまたしばしば2つの道具を手に持ちつつ、さらにミラーを必要とする外科医にも当てはまる。
【発明の開示】
【発明が解決しようとする課題】
【０００５】
上記方法の不便な点は、2人の者すなわち治療担当医と助手とが、患者の治療部位を囲んで互いにきわめて近い位置に立ちまたは座らなければならないことである。特に診療が比較的難しい場合またはきわめて優れた技能を要する場合、治療担当医にとっては、この位置関係がしばしば支障となる。
【０００６】
もうひとつ不便な点は、もしも医療用具と吸引装置とミラーとを必要とする場合、治療担当医は、助手に依存してしまうことである。これは特に歯科において不便である。というのも歯科診療はしばしば、液体または残片を吸引する必要性を除けば、助手の補助なしで行えるからである。
【０００７】
そして最後に、しばしば支障となるのが、標準的な吸引装置がドリルの妨げとなることである。すなわちドリルと吸引装置を同時に用いるのは困難である。
【０００８】
本発明の目的は、標準的な吸引装置を、一方で用途が広く、他方で使用者に治療を容易化させるような方法で改良することである。またもうひとつの目的は、使用者が助手の補助なしで一定の作業または治療を行えるようにすることである。従って本発明による吸引装置は、低費用で製造可能かつ容易に利用可能なように意図されている。
【課題を解決するための手段】
【０００９】
本発明によれば、この課題の解決手段は、患者の口腔から液体および残片を吸引する歯科用吸引装置であって、前記装置が、外面部と内面部と吸引口とからなり、X−X線を軸方向とし、鏡面部が吸引口の領域に配置されて少なくとも口腔の部分を見ることを可能にした中空の基部本体を有するものである。
【００１０】
この課題のもうひとつの解決手段は、治療中に患者の口腔から液体および残片を吸引する歯科用吸引装置であって、前記装置が、外面部と内面部と吸引口とからなる、X−X線を軸方向とする中空の基部本体を有していて、X−X線の軸の方向がどの向きにも変更されうるように、前記基部本体が長手方向に変形可能に構成されたものである。
【００１１】
本発明の反射コーティングは、使用者が前記医療用吸引装置を液体および残片を吸引する吸引装置として用いると同時にミラーとして用いることを可能にする。これはたとえば、通常、ドリルで歯を治療する際に、ドリルと吸引とを同時に行う必要がある歯科医には、非常に有用である。さらに、医師が治療を行いたい部位を見ることができない場合はミラーを用いなければならないところ、本発明による吸引装置があれば、医師は助手の補助なしで治療を行うことができる。すなわち、本吸引装置は、同時にミラーとしても使用される。
【００１２】
所望の機能を得るために前記吸引装置全体に反射コーティングを施す必要はなく、前記吸引口の領域に施せば十分である。前記内面部と前記外面部の両面をコーティングしてもよい。
【００１３】
商業上一般に入手可能な歯科用吸引装置は、通常、管状の基部本体の長手方向に対し傾斜して延びた吸引口を有する。したがって、吸引口となる管状の基部本体の末端は、軸線に対し直角ではなく、傾斜角を有して延びている。それゆえ吸引装置は先細の形を有し、たとえば頬と歯との間に容易に挿入できるようになっている。その場合、吸引口は歯の側に向けられ、基部本体の他の部分、すなわち吸引口の反対側のより長い部分は頬に当てられる。
【実施例１】
【００１４】
本発明の特に効果的な実施例では、基部本体の内面部は、特に外側から見える領域において、反射コーティングを施されている。つまり治療担当歯科医は、通常とまったく同じ方法すなわち吸引口を歯の側に向けて吸引装置を歯に近づけ、吸引口を介し内面部の鏡面部に映る治療歯または治療部位を見る。すなわち鏡面部は、吸引装置の延長として延びているのではない。その利点は、治療部位と吸引すべき範囲との距離が広がらないという理由から、吸引機能にマイナスの影響が出ないことである。さらに、気流により不可避的に生ずる雑音も、これと同じ理由から、大きくならないことが判明している。これは、吸引口の前方に取り付けられた鏡面部を備えている場合の話である。というのも鏡面部は不都合な乱気流を引き起こしうるからである。
【００１５】
またこれとは別に、代替的または追加的に、基部本体の外面部に反射コーティングを施すことも有効である。
【実施例２】
【００１６】
本発明の別の実施例では、吸引装置は口をフレア状に広げて、特に内面部の鏡面部を上げた吸引口からなる末端部を備えるように構成されている。これは、もしも反射面として利用されるのが吸引口から見える吸引装置の内面部である場合、理に適う。フレア状の形状はまた、たとえば軟組織等を離して保持するのに有効である。
【００１７】
所望の機能に応じて、反射コーティングが拡大効果または縮小効果を有すことも理に適うかもしれない。そのような効果は、吸引装置自体を、対応する反射性または鏡映性の材料でコーティングされた凹状または凸状の形状とするか、あるいは凹面鏡または凸面鏡を基部本体上に配置することによって得てもよい。この鏡は、基部本体の材料と同素材で形成した場合でも、基部本体に接着してよい。重要な点は、もしも付加的な鏡を用いる場合、その鏡は吸引装置が容易に消毒されうる方法で基部本体に接続されるということである。この目的のために、たとえば鏡を保持する基部本体に接続する鏡として、通常の歯科用ミラーを用いる方法をとってもよい。
【００１８】
鏡面部からなる差込み可能な構成部品の使用は、特に有効である。この構成部品は、取り外し可能なように、吸引装置の吸引口の領域に接続される。吸引装置はたとえば差込み可能な構成部品を差込むための溝を有してもよい。これにより差込み可能な構成部品は任意に差し替えられ、所望の状況に適応させることができる。差込み可能な構成部品は、どのような形状でもよく、鏡面部は、凹状、凸状、またはそれらと異なる型のものでもよい。
【００１９】
本発明の吸引装置は、いかなる適当な材料によっても製造可能である。ただし費用上の理由から、プラスチック材料で製造するのが実用的であろう。
【００２０】
本発明によれば、基部本体は、塑性変形によって所望の状況に適応させる方法で構成されている。たとえば、基部本体を比較的柔らかい塑性変形可能なプラスチック材料製とし、治療担当医がその使用目的に従ってこれを用いる前に、単純に屈曲させることによって、所望の形に形成するようにしてもよい。また、1つ以上の玉継手を用いてもよい。重要な点は、吸引装置の軸線の方向が、どの向きにも変更可能なことである。特に有効な実施例では、そのような継手がミラー領域付近に配置され、またはミラー領域自体が軸線を中心に回転可能であるか、または長手方向に対して枢動可能に形成されている。
【発明を実施するための最良の形態】
【００２１】
2つの図に見られるように、医療用吸引装置10は、内面部14と外面部16を備えた、中空たとえば管状の基部本体12を有する。基部本体12はさらに、X−X線を軸方向としており、その軸は実施例に示すように直線でもまたはねじれていてもよい。このねじれは、吸引装置10をより治療部位に近づけ易くしうる。
【００２２】
基部本体12は、連結口18および吸引口20を有する。連結口18はここに図示されていないホースとの連結用で、他方、吸引口20は吸引された液体または残片が通過する通路用である。
【００２３】
ここに示された実施例では、さらに吸引口20の部分の周囲に延びた縁部22が示されている。この縁部22は、吸引装置10用であり、患者の頬または唇を治療部位から離して保持するのに優れている。
【００２４】
本発明によれば、吸引装置10の部分は鏡面部24を有する。これは図の斜線領域に示す。図示の実施例のように、吸引装置10の内面部14は、たとえば吸引口20から見える領域を鏡面部にするよう構成すると有効なことが判明している。これはたとえば治療中において、治療される歯の対向位置に当たる領域である。というのも、効果的なクリーニングのためにはどちらにしてもこの部位付近に吸引口を近づける必要があるからである。さらに、基部本体12の内面部14における吸引によって生ずる恒常的な気流により、鏡面部24は曇ることがないようになっている。またこれとは別に、図1に示すように外面部16の部分に鏡面部24を備えることも可能である。縁部22はまた、図示のように、好ましくは口を広げて、鏡面部領域を拡大するように構成してもよい。
【００２５】
また、基部本体12のすべての可視面に鏡面部24を備えること、または反射性の材料で製造した基部本体12にすることも、目的に適いうる。
【００２６】
有効な方法として、吸引装置10は吸引口20の領域に光源を有してもよく、前記光源は鏡面部24を介して見える領域を照らす。この光源はたとえば基部本体12の長手に沿って延びる光ファイバーにより確保してもよい。
【００２７】
光源は、連結部18の領域内に直接配置してもよく、または光ファイバー内部に光を通す場合は外部に配置してもよい。
【００２８】
基部本体12は、いかなる適当な材料で製造されてもよい。たとえば硬質プラスチックは、消毒し易いという理由から適している。本発明に従って変形可能性を確保するために、基部本体は一部が柔らかい材料で作られるか、または蛇腹式の部分を有するようにしてもよい。蛇腹は、吸引装置10を伸縮可能にする利点を有する。
【００２９】
本発明による吸引装置10を用い、治療者は患者を背後から（すなわち12時の位置から）治療することが可能である。これは、治療者の背中の疲労を著しく軽減させる。というのも、治療者が始めから患者の上にかがむ姿勢をとれるからである。吸引装置の使用は歯科においてきわめて一般的であることから、本発明は作業現場の人間工学を著しく改善することが可能である。
【００３０】
本発明は、実施例に限定されるものではなく、すべての同等の実施例を対象とする。既述の多様な実施例は例として挙げたものであり、いかなる方法においても発明の範囲を限定する意図のものではない。
【図面の簡単な説明】
【００３１】
本発明は、添付の図面と併せてここに記載の内容から理解されることが望ましい。前記図面については以下の通りである。
【図１】本発明の吸引装置の略側面図である。
【図２】吸引口を有する吸引装置の端部の拡大図である。
【図１】
2007517554.tif 000003
【図２】
2007517554.tif 000004
【国際調査報告】
2007517554.tif 000005
2007517554.tif 000006
2007517554.tif 000007
2007517554.tif 000008
2007517554.tif 000009
2007517554.tif 000010
2007517554.tif 000011
2007517554.tif 000012
2007517554.tif 000013
2007517554.tif 000014